(57)【要約】【課題】ロールスクリーンの巻き取り最終点での衝撃緩和を確実に図る。【解決手段】管状部材からなる巻き取りローラ２の内部に、ローラリーダンパ３を、そのケースを巻き取りローラ２に連結し、ロータを巻き取りローラ２の中心線に沿って配設される固定軸６に連結して配設する。ショックアブソーバ４を、巻き取りローラ２に連結して配設する。固定軸６の外周面に形成した雄ねじ部に螺合する雌ねじ部を内周面に備え、巻き取りローラ２の軸方向に形成した被係合部に係合する係合部を外周面に備えた移動子５を、巻き取りローラ２が回転すると被係合部に沿って軸方向に移動するように設ける。移動子５がショックアブソーバ４のピストンロッド及びピストンを押圧するため、ロールスクリーンの巻き取り最終点における衝撃を緩和できる。【選択図】図１
2007056671.tif 000002
【特許請求の範囲】
【請求項１】
粘性液体が充填されるチューブと、該チューブ内を摺動し得るピストンと、前記チューブから突出するピストンロッドとを有し、前記チューブ及びピストンロッドに、互いに直列に連通する中空部を設けることにより、軸方向に貫通する穴が形成されていることを特徴とするショックアブソーバ。
【発明の詳細な説明】
【技術分野】
【０００１】
本発明は、壁や窓等に掛けるブラインドや屏風、あるいは映写用の幕等として用いられるロールスクリーンの巻き取り装置に適用可能なショックアブソーバに関する。
【背景技術】
【０００２】
この種のロールスクリーンは、該ロールスクリーンを巻き取る巻き取りローラと、巻き取ったロールスクリーンを収容する収納ケースと、ロールスクリーンを自動的に巻き取るため、巻き戻した際に捻られるスプリングとを備えて構成されている。また、スプリングの反発力によりロールスクリーンを巻き取った際の巻き取りスピードを減速するため、巻き取りローラにロータリーダンパを連結したものも用いられている。
【０００３】
しかしながら、ロータリーダンパを用いる場合、ロータリーダンパの抵抗力が強い場合には、巻き取りスピードが遅く、時間がかかる。その一方、抵抗力が弱い場合には、減速効果が低く、巻き取りの最終点における衝撃緩和という目的を達成できない。このため、ロータリーダンパを用いる場合には、巻き取りスピードと衝撃緩和とのバランスを適切に設定する必要があるが、使用者は、見た目の印象度から、本来的に、巻き取りスピードが速めであることを望む。従って、ロータリーダンパの抵抗力を弱めに設定して、巻き取りスピードを速くしても、確実に巻き取り最終点での衝撃緩和を図れる巻き取り装置の開発が望まれていた。
【発明の開示】
【発明が解決しようとする課題】
【０００４】
本発明は上記した点に鑑みなされたものであり、ロータリーダンパの抵抗力に拘わらず、たとえ、該抵抗力を弱めに設定して、巻き取りスピードを速くしたとしても、ロールスクリーンの巻き取り最終点での衝撃緩和を確実に図ることができるロールスクリーンの巻き取り装置に適用可能なショックアブソーバを提供することを課題とする。
【課題を解決するための手段】
【０００５】
上記した課題を解決するため、本発明のショックアブソーバは、粘性液体が充填されるチューブと、該チューブ内を摺動し得るピストンと、前記チューブから突出するピストンロッドとを有し、前記チューブ及びピストンロッドに、互いに直列に連通する中空部を設けることにより、軸方向に貫通する穴が形成されていることを特徴とする。
【発明の効果】
【０００６】
巻き取りローラの巻き取りスピードを減速させるロータリーダンパを有するロールスクリーンの巻き取り装置に対して、巻き取り最終点付近における衝撃を緩和する、本発明のショックアブソーバを別途設ければ、ロータリーダンパによる抵抗力に拘わらず、ロールスクリーンの巻き取り最終点における衝撃を緩和することができる。このため、ロータリーダンパの抵抗力を弱く設定すれば、ロールスクリーンの巻き取り動作を比較的速くできる一方で、巻き取り最終点における衝撃の緩和も確実に行うことができる。
【発明を実施するための最良の形態】
【０００７】
以下、図面に示した実施の形態に基づき本発明をさらに詳細に説明する。
【実施例】
【０００８】
図１は、本発明の一の実施の形態が適用されるロールスクリーンの巻き取り装置１を示す概略断面図である。すなわち、この巻き取り装置１は、まず、外周にロールスクリーン（図示せず）が巻回される巻き取りローラ２を有して構成される。この巻き取りローラ２は、図示しない収納ケース内に保持し、巻き取ったロールスクリーンが外部に見えないような構成とする場合もある。なお、本実施の形態では、巻き取りローラ２を中空の管状部材から構成されている。
【０００９】
巻き取り装置１は、また、いずれも巻き取りローラ２の中空部内に装填されるロータリーダンパ３、ショックアブソーバ４、移動子５、及び固定軸６を有して構成される。ここで、固定軸６は、巻き取りローラ２の中心線に沿って配設され、その端部は、巻き取りローラ２の開口端に装填されるキャップ７から突出し、上記した収納ケース、又は収納ケースを用いない場合には任意の取付対象部位に固定される。なお、固定軸６は、本実施の形態では、後述のロータリーダンパ３、ショックアブソーバ４及び移動子５の中央を貫通して配設されているが、ロータリーダンパ３が配設される部位は、そのロータ３２に係合するような形状で、ショックアブソーバ４が配設される部位は、ショックアブソーバ４と係合しないような形状又は径で、移動子５が配設される部位は、雄ねじ部６１を有するように形成されている。
【００１０】
ロータリーダンパ３は、図２（ａ）（ｂ）に示したように、円筒状のケース３１とその内部に収容されるロータ３２とを有して構成される。そして、ケース３１の内周面とロータ３２の外周面との僅かな隙間に粘性液体が充填されている。ロータ３２は、中央部に軸方向に貫通する貫通孔３２ａを有する。この貫通孔３２ａには、上記したように固定軸６の一部が挿通されるが、図２（ａ）から明らかなように、この貫通孔３２ａは、断面円形ではなく、外面に平坦面を有する形状に形成されている。この貫通孔３２ａに挿通される固定軸６の一部も断面同形状に形成されており、該固定軸６の一部を挿通した場合には、ロータ３２は、巻き取りローラ２が回転しても固定軸６と共に回転しない状態を維持する。一方、ケース３１は図示しない回転止め機構を介して巻き取りローラ２と連結されている。従って、ケース３１は、巻き取りローラ２と一緒に回転する。なお、符号３３，３４は、ケース３１の両端開口部に装着される蓋部材である。
【００１１】
ショックアブソーバ４は、図３に示したように、有底筒状で、中央に中空部４１ａを備えたチューブ４１と、端部４２ａがチューブ４１の蓋部材４１ｂから突出する中空のピストンロッド４２と、本実施の形態ではこのピストンロッド４２の周囲に一体成形され、チューブ４１内を摺動し得るピストン４３と、ピストン４３の底面とチューブ４１の底面との間に配設される復帰用バネ４４と、ピストン４３の厚み方向に貫通されたオリフィス４３ａを開閉するため、ピストン４３の底面側に配設された弁部材４５とを有して構成されている。また、ピストン４３を隔てて形成される２つの液体室４６，４７には、粘性液体が充填され、ピストン４３が押し込まれる方向に移動する際には、弁部材４５がオリフィス４３ａを閉塞し、粘性液体はチューブ４１とピストン４３との僅かな隙間から上方の液体室４６へ移動するため、大きな抵抗力が作用する。一方、ピストン４３を押圧していた外力が解除されると、復帰用バネ４４の作用により、ピストン４３は押し上げられるが、この際、弁部材４５は開弁作動するため、上方の液体室４６の粘性液体がオリフィス４３ａも通じて下方の液体室４７に流入し、該ピストン４３は速やかに原位置に復帰する。なお、符号４８は上方の液体室４６に配設されるアキュムレータである。
【００１２】
また、ショックアブソーバ４を構成するチューブ４１の中空部４１ａとピストンロッド４２の中空部４２ｂとは直列に連通するような位置関係で設けられており、この２つの中空部４１ａ，４２ｂに上記した固定軸６の一部が挿通される。この２つの中空部４１ａ，４２ｂと、この部分に挿通される固定軸６の一部は、本実施の形態のようにいずれも断面円形に形成されているか、断面円形でない場合には、中空部４１ａ，４２ｂの最も小さな内径の部分よりも、中空部４１ａ，４２ｂに挿通される固定軸６の一部のうち最も大きな外径の部分が小さな径で形成されている。従って、ショックアブソーバ４は、固定軸６とは何ら係合せず、固定軸６の周囲を自由に回転し得る。また、チューブ４１と巻き取りローラ２とは、いずれかに形成した凸部と他方に形成した凹部のような回り止め機構（図示せず）を介して連結されている。従って、ショックアブソーバ４は、巻き取りローラ２の回転により、固定軸６の周囲を自由に回転する。
【００１３】
移動子５は、図４に示したように、略円筒状に形成され、内周面には雌ねじ部４１が形成されている。この雌ねじ部５１は、上記した固定軸６に形成した雄ねじ部６１に螺合するものである。また、外周面には、軸方向に沿って係合部となる溝５２，５３が形成されている。そして、巻き取りローラ２の内周面に軸方向に沿って形成されている被係合部である突条部（図示せず）に係合する。従って、移動子５は、巻き取りローラ２の回転に伴って回転するが、固定軸６の雄ねじ部６１に雌ねじ部５１が螺合しているため、巻き取りローラ２の回転により軸方向に移動する。なお、移動子５は、ロールスクリーンが巻き取りローラ２に巻き取られる際、最後まで巻き取られる前に、すなわち、所定量巻き取られた段階で、上記したショックアブソーバ４のピストンロッド４２の端部４２ａに当接するよう配置される。また、移動子５に突条部を形成し、巻き取りローラ２に溝を形成してもよい。
【００１４】
本実施の形態が適用される巻き取り装置１によれば、巻き取りローラ２に巻き取られているロールスクリーンを引き出すと、巻き取りローラ２に付設されている図示しないコイルスプリング等のスプリングが捻られる。使用する場合は、ロールスクリーンを任意の部位に係合させて映写したりするが、収容する場合には、この係合を解除させる。その結果、ロールスクリーンは、スプリングの反発力により巻き取りローラ２に巻き取られていく。
【００１５】
この際、ロータリーダンパ３のケース３１が巻き取りローラ２と一緒に回転するため、該ケース３１とロータ３２との間に充填された粘性液体の抵抗が作用し、巻き取りローラ２の回転は減速される。また、同時に、移動子５も巻き取りローラ２と共に回転するが、雌ねじ部５１が固定軸６の雄ねじ部６１に螺合しているため、固定軸６に沿ってショックアブソーバ４のピストンロッド４２の端部４２ａに接近する方向に移動する。少なくともロールスクリーンが完全に巻き取られる直前には、移動子５がショックアブソーバ４のピストンロッド４２の端部４２ａに当接するため、以降は、移動子５がショックアブソーバ４のピストンロッド４２及びピストン４３を押圧する。従って、移動子５は、このとき、ショックアブソーバ４２内に充填された粘性液体が、下方の液体室４７から上方の液体室４６へ移動しようとし、かつ弁部材４５がオリフィス４３ａを閉弁するため、ピストン４３はチューブ４１内をゆっくり移動し、大きな抵抗を受ける。このため、移動子５の移動もゆっくりしたものとなり、この移動子５の溝４２，４３に突条部が係合している巻き取りローラ２の回転がゆっくりしたものとなる。
【００１６】
ロールスクリーンの巻き取り装置は、上記したものに限定されるものではない。上記では、ロータリーダンパ３とショックアブソーバ４を全く別の部材として構成しているが、要は、移動子５がショックアブソーバ４のピストンロッド４２に当接可能であればよいので、図５に示したような構造とすることも可能である。
【００１７】
すなわち、図５に示したものは、一つの外ケース８内に隔壁８１を形成し、この隔壁８１を隔てて一方をショックアブソーバ部４’とし、他方をロータリーダンパ部３’としたものであり、ショックアブソーバ部４’とロータリダンパ部３’の構造は、上記したショックアブソーバ４及びロータリダンパ３の構造と全く同様である。
【００１８】
また、上記した説明では、ショックアブソーバ４又はショックアブソーバ部４’として、チューブが一つでオリフィスがピストンに貫通されたものを示しているが、これに限定されるものではなく、二重チューブ式で、内側チューブにオリフィスが形成されているものや、チューブ内面がテーパ状に加工されているもの等、公知の種々のショックアブソーバを用いることができる。
【図面の簡単な説明】
【００１９】
【図１】図１は、本発明の一の実施の形態にかかるロールスクリーンの巻き取り装置の構成を示す概略断面図である。
【図２】図２は、同実施の形態で用いたロータリーダンパを示す図であり、（ａ）は平面図を、（ｂ）は断面図を示す。
【図３】図３は、同実施の形態で用いたショックアブソーバを示す図であり、（ａ）は平面図を、（ｂ）は断面図を示す。
【図４】図４は、同実施の形態で用いた移動子を示す図であり、（ａ）は平面図を、（ｂ）は断面図を示す。
【図５】図５は、ショックアブソーバ部とロータリーダンパ部が一体となった場合の構造を示す断面図である。
【符号の説明】
【００２０】
１  巻き取り装置
２  巻き取りローラ
３  ロータリーダンパ
３１  ケース
３２  ロータ
４  ショックアブソーバ
４１  チューブ
４２  ピストンロッド
４３  ピストン
５  移動子
６  固定軸
【図１】
2007056671.tif 000003
【図２】
2007056671.tif 000004
【図３】
2007056671.tif 000005
【図４】
2007056671.tif 000006
【図５】
2007056671.tif 000007